(57)【要約】      （修正有）【課題】塗布先への乾燥固化した修正液の付着による、液吐出の阻害、塗布跡の汚れ、キャップの装着及び取り外し不能を防止する。【解決手段】修正液を収容する塗布具本体１に着脱自在に接続可能なキャップ本体３と、このキャップ本体の少なくとも内部に開口部が存するように取り付けられ、操作によって前後動可能な筒状部材４とからなり、この筒状部材４の内部に、前記前後動によって塗布具本体に備えられた塗布先２に周状当接する掻き取り部６を形成した修正液塗布具用キャップとする。【選択図】図１
2009132109.tif 000002
【特許請求の範囲】
【請求項１】
修正液を収容する塗布具本体に着脱自在に接続可能なキャップ本体と、このキャップ本体の少なくとも内部に開口部が存するように取り付けられ、操作によって前後動可能な筒状部材とから少なくともなり、この筒状部材の内部に、前記前後動によって塗布具本体に備えられた塗布先に周状当接する掻き取り部を形成した修正液塗布具用キャップ。
【発明の詳細な説明】
【技術分野】
【０００１】
本発明は、本体内に収容する、下地を隠蔽する塗布膜を形成する修正液を、塗布先より塗布して修正塗布膜を形成する修正液塗布具用キャップに関する。
【背景技術】
【０００２】
従来、塗布先として、筒状の部材の内壁に、この筒状の部材の先端開口部より一部突出する部分を有する内部材を弾性的に押し付けて閉塞させ、修正液の吐出を遮断し、先端開口部より一部突出する部分を押し込むことによって液通路を開口して修正液を吐出可能となす修正液用容器が知られており、内部材としては、例えば、球体を使用したボールペンタイプのものや、棒状部材を使用した先端弁タイプのものなどが知られている。
修正液は隠蔽性を有する塗布膜を形成するので、主に酸化チタンのような白色の顔料を大量に使用しており、塗布膜は乾燥固化すると塗布膜上を再筆記できるような硬い膜となるものであるので、使用前に乾燥固化してしまうと使用不能となるので、非使用時は塗布先をキャップで覆って乾燥を防止している。
【０００３】
例えば、特許文献１には、キャップ装着時に塗布先を覆う有機液体を含浸した変形可能な連続気泡樹脂をキャップ本体内に配置して、修正液が塗布先で乾燥することを抑制しようとしたものが開示されている。また、特許文献２には、キャップ装着時には、塗布先の修正液を吐出する穴の近傍に周状当接する筒部を形成したものが開示されている。
【特許文献１】実開昭６３−００７５９６号公報
【特許文献２】実開平０６−０１２０９５号公報
【発明の開示】
【発明が解決しようとする課題】
【０００４】
塗布先に修正液が付着していると、それが乾燥固化して修正液の出口を塞いでしまうことがあった。また、修正液の出口を塞いでいない場合でも、乾燥固化した修正液が付着した状態で使用すると、その乾燥固化物が塗布跡に乗って綺麗な塗布とならない。
特許文献１に示されているように、修正液が塗布先で乾燥することを抑制しようとしたものでは、
キャップを外した時、有機液体が気化する。このため、繰り返しの使用により、有機液体が減少または消失し、連続気泡樹脂の表面に付着した修正液が乾燥固化する。この修正液の乾燥固化により、連続気泡樹脂の硬度が高く変形し難くなり、キャップを装着できなくなってしまうことがあった。
また、特許文献２に示されているような、キャップに塗布先の修正液を吐出する穴の近傍に周状当接する部分を有するものでは、この当接部に修正液が付着すると乾燥固化した時にキャップが外れなくなることがあった。
【課題を解決するための手段】
【０００５】
即ち、本発明は、修正液を収容する塗布具本体に着脱自在に接続可能なキャップ本体と、このキャップ本体の少なくとも内部に開口部が存するように取り付けられ、操作によって前後動可能な筒状部材とから少なくともなり、この筒状部材の内部に、前記前後動によって塗布具本体に備えられた塗布先に周状当接する掻き取り部を形成した修正液塗布具用キャップを要旨とする。
【発明の効果】
【０００６】
塗布先に修正液が付着して乾燥固化したとしても、操作によって塗布先に周状当接する掻き取り部を前後動させて、乾燥固化した修正液を取り除くことができる。これによって、乾燥固化した修正液による液吐出の阻害や塗布跡が汚くなること、キャップの装着及び外れなくなることを抑制する。
【発明を実施するための最良の形態】
【０００７】
本発明は、内部に高揮発性溶剤を主溶剤とし、白色顔料を分散し、下地を隠蔽する塗布膜を形成する修正液を収容し、この修正液を塗布先より吐出可能な修正液塗布具用のキャップに好適に使用できるものである。
【０００８】
下地を隠蔽する塗布膜を形成する修正液の主溶剤である高揮発性溶剤としては、塗布後の塗布面の速乾性の他、蒸気圧、蒸発速度が比較的高い有機溶剤である、メチルシクロヘキサン、シクロペンタン、イソヘキサン、エチルシクロヘキサンが例示でき、白色顔料をとしては酸化チタン、酸化亜鉛などが例示できる。中でも、高揮発性溶剤としては、大気中に放出しても光化学スモッグの原因にならず、また、有機溶剤中毒予防規制を受けず比較的毒性の低い炭化水素系有機溶剤であるメチルシクロヘキサンが好ましく使用でき、白色顔料としては、白色度、隠蔽力、屈折率が比較的大きいことから、酸化チタンを用いるのが望ましい。
【０００９】
塗布先としては、合成樹脂の射出または押出成形品やステンレスなどを切削加工した筒状の部材をボールホルダーとし、内部材として、このボールホルダーの先端に、コイルスプリングなどによって弾性付勢させたボールや、弁部材を先端開口部より一部を突出させ、この突出部分の押圧により弁部材を開口する、修正液合成樹脂、ステンレスなどの金属よりなる棒状部材よりなる内部材が例示できる。
【００１０】
キャップとしては、塗布先に装着した状態で、外部からのノックなどの操作によって前後動が可能である筒状部材を内部に収容し、筒状部材の内周側面部には、筒状部材の前後動で、塗布先外周面に周状に摺接して、塗布先外周面に乾燥固化して付着した修正液を掻き取る部分を有するものであればよい。
例えば、操作としては、キャップ頭部より、キャップ内部にコイルスプリングなどによって弾性付勢させた筒状部材の一部または筒状部材に接続した押圧部材を突出させ操作部分とし、この突出部分を押圧してポンピング作動を行うようになしたものなどが挙げられる。
また、乾燥固化した修正液を掻き取る部分としては、筒状部材の内周側面部より、中心に向かって径方向に、塗布先外周面との摺接によって塗布先外周面は傷つけず、変形可能となした突状物を配置したものであればよい。突状物としては、合成樹脂製の繊維を束として１本又は複数本配置した繊維ブラシ状としたものや、リング状又は筒状部材と一体になしたエラストマーなどが例示できる。突状物の大きさ、長さ、配置数及び位置などは、塗布先外周面との位置関係、塗布先形状による乾燥固化した修正液の濡れ性による付着力及び付着状態などに応じて適宜選択される。
更に、塗布先外周面を傷つけない突状物の材質としては、多くの修正液塗布具の塗布先がステンレスなどの金属製であることを鑑みると、繊維ブラシ状のものでは、ポリエステル、ポリアミド、ポリアクリルニトリル、ポリエチレン、ポリプロピレン、ポリ塩化ビニル、ビニロン、ポリウレタンなどが例示され、エラストマーのものでは、エチレンプロピレンゴム、ブチルゴム、シリコーンゴム、クロロプレンゴム、ウレタンゴム、フッ素ゴム、エピクロロヒドリンゴム、多硫化ゴムなどの加硫ゴム、オレフィン系、スチレン系、ウレタン系、フッ素系、ポリエステル系などの熱可塑性エラストマーが例示できる。
【実施例】
【００１１】
以下、図面に基づき一例について説明する。
図１及び図１のＩ部拡大図である図２に示したものは、容器１内部に、メチルシクロヘキサンを主溶剤とし、酸化チタンを白色顔料として配合した修正液を収容し、この修正液を吐出する塗布先２として、ステンレス製のボールホルダーにボールを回転自在に抱持したボールペンチップを容器１の先端開口部に備えた修正液塗布具の一例である。ポリプロピレン樹脂の射出成形品であるキャップ本体３には、容器１との接続するための部分的に環状に配置された嵌合突起３ａと、キャップ内空間を気密にするための周状当接部である環状凸部３ｂが設けられている。嵌合突起３ａは、容器１に形成された鍔部１ａを乗り越えて嵌合を完了する。
また、キャップ本体３は、塗布先２を挿入する口とは反対側にも開口部を有しており、該開口部に筒状部材４を挿置している。キャップ本体３には、この筒状部材４の外壁に気密に周状当接する環状凸部３ｃ、３ｄを有しており、筒状部材４の外壁にはキャップの内側に配置された環状凸部３ｃと、外側に配置された環状凸部３ｄとの間に開口し、空気抜けとなる溝４ａが形成されている。キャップ本体３と筒状部材４との間には、コイルスプリング５が配置され、筒状部材がキャップ内空間の気密性を維持しながら前後動できるようになっている。その際、キャップ内空間の容積が減少しようとすることによる筒状部材４の稼働しにくさや、塗布具内に空気が押し込まれることが無いように、溝４ａから空気が抜けるようになされている。
【００１２】
筒状部材４の内面には、５本を一束としたポリアミド樹脂製の繊維ブラシ６が環状に、突状で径方向に伸びるよう配列し、この配列を７列接着配置している。筒状部材４を押圧すると、繊維ブラシ６は塗布先２の外周面に周状に摺接して、塗布先２の外周面に沿って弾性変形をする。繊維ブラシ６は弾性変形しているため、変形に対して元に戻ろうとする反発力を生じ、この反発力によって、塗布先２の外周面に乾燥固化して付着した修正液を強制的に剥離して掻き取り、次回の使用する際における、修正液の吐出阻害や、修正液の塗布跡の汚れ、キャップ３の装着及び外れなくなることが抑制される。
【００１３】
図３に他の一例を示す。
図２相当図である図３に示したものは、外部から押圧する部分を押圧部材７とし、この押圧部材７にエチレンプロピレンゴム成形品の筒状部材４を接続させたものである。筒状部材４の内部側面には、筒状部材４と一体で環状に、径方向に伸びる突状物４ｃを形成している。突条物４ｃは、押圧部材７を押圧した際、塗布先２の外周面に隙間なく摺接することができるので、塗布先２の外周面に乾燥固化して付着した修正液を、隙間による取りこぼしがないより確実な掻き取りができる。
【００１４】
図４に更に他の一例を示す。
図２相当図である図４に示したものは、突条物４ｃを４列配置し、図３の例よりも更に確実な掻き取りができるようなしたものである。また、ブロー成形によりキャップ３に板バネ３ｅを設け、筒状部材４の前後動を板バネ３ｅによりなしたものである。外気や水分に触れても錆などの腐蝕を生じない合成樹脂製の板バネ３ｅとすることにより屋外で使用及び長期的な使用が可能となる。  
【図面の簡単な説明】
【００１５】
【図１】一例を示す縦断面図。
【図２】図１の例のＩ部拡大縦断面図。
【図３】他の一例を示すｉ部拡大縦断面図。
【図４】更に他の一例を示すｉ部拡大縦断面図。
【符号の説明】
【００１６】
１  容器
１ａ  鍔部
２  塗布先
３  キャップ本体
３ａ  嵌合突起
３ｂ  環状凸部
３ｃ  環状凸部
３ｄ  環状凸部
３ｅ  板バネ
４  筒状部材
４ａ  溝部
４ｂ  係止部
４ｃ  突状物
５  コイルスプリング
６  繊維ブラシ
７  押圧部材  
【図１】
2009132109.tif 000003
【図２】
2009132109.tif 000004
【図３】
2009132109.tif 000005
【図４】
2009132109.tif 000006